(57)【要約】      （修正有）【課題】ハンドルを傷つけることなく、遊戯者の疲労を軽減し、また、宣伝広告を行うことができる遊技補助具を提供する。【解決手段】印刷物の表面に透明で弾力のある軟質材を被覆し、その形状が概ね多角形または円形の平板状である。印刷物には宣伝広告を印刷する。【選択図】図１
0003160876.tif 000002
【実用新案登録請求の範囲】
【請求項１】
印刷物の表面に透明で弾力のある軟質材を被覆し、その形状が概ね多角形または円形の平板状であることを特徴とするパチンコ遊技補助具。
【請求項２】
印刷物に宣伝広告が印刷された請求項１の遊技補助具。
【考案の詳細な説明】
【技術分野】
【０００１】
本考案はパチンコ遊技の際に使用するハンドル可動部をずれにくくする宣伝広告が可能なパチンコ遊技補助具に関するものである。
【背景技術】
【０００２】
パチンコにおいての宣伝広告は、限られた地域のものが多く、その特性からマスメディアでの宣伝効果が薄い。一般的には折り込み広告、ダイレクトメール、店内外表示などが主である。
【０００３】
折り込み広告は不特定多数のパチンコ遊技者以外の人にも宣伝が必要なため費用が膨らむ欠点があった。パチンコ遊技者へのダイレクトメールは、住所やメールアドレスなどの情報収集を行わなければならない欠点がある。店内外表示はパチンコ遊技者が店に来店しないと広告効果が得られない欠点もある。
【０００４】
現在のパチンコはハンドルを手で持って遊技しなければならない。しかし、長時間、遊技をしていると指や手が疲労しハンドル可動部分がずれる事がある。このため、ハンドルとハンドル可動部にコインや鍵を挟んで、ずれにくくする場合があるが、ハンドルの形状により挟みにくい場合がある。このような硬質のものを無理に挟もうとすると、ハンドルに傷をつけたり、ハンドルをガタガタにしてしまったりしてしまう欠点があった。また、紙を折って使用する場合もあるが、使い捨てで安定感が無く、資源の無駄になる。
【０００５】
このハンドルをずれにくくするものは、多くのパチンコ遊技者が所有しているにもかかわらず、個人で用意する事が多い。
【先行技術文献】
【特許文献】
【０００６】
【特許文献１】特許公開２００１−２３９００３号広報
【特許文献２】登録実用新案第３０６５９３０号公報
【考案の概要】
【考案が解決しようとする課題】
【０００７】
解決しようとする問題点は、ハンドルをずれにくくする遊技補助具に、硬質の物を使用するとハンドルを傷つけてしまう点、紙を使用すると繰り返し使えず安定しない点である。また、パチンコにおいての広告宣伝は限られた地域内でパチンコ遊技者に対して効率的に宣伝広告ができない点である。
【課題を解決するための手段】
【０００８】
本考案は、宣伝広告が印刷された物の表面に透明で弾力のある軟質材を被覆し、その形状が概ね多角形または円形の平板状であることを主要な特徴とする。
【考案の効果】
【０００９】
本考案は硬質材を使用せず、弾力のある軟質材を使用し、ハンドルを傷つける事無いようにハンドルの丸みに沿って湾曲し、弾力によって可動部をずれにくくする。この事によりパチンコ遊技者の手や指の疲労の軽減を行うことができる。また、宣伝広告を印刷された物を使用する事によりパチンコ遊技者に効率的に宣伝広告を行うことができる。
【図面の簡単な説明】
【００１０】
【図１】図１はハンドルチップの斜視図である。
【図２】図２はハンドルチップの斜視図である。
【図３】図３はハンドルチップを使用した斜視図である。（実施例１）
【図４】図４はハンドルチップの斜視図である。（裏面）
【考案を実施するための形態】
【００１１】
ハンドル可動部を任意の強さまで回転させ、手で固定した後、可動部をずれにくくするために、ハンドルとハンドル可動部の間にハンドルチップを挟む。
【実施例１】
【００１２】
表面に企業、パチンコ遊技店などの広告を印刷し、裏面にハンドルチップの広告を印刷し、透明で弾力のある軟質材で被覆したハンドルチップを用意し、パチンコ遊技者に提供する。
【００１３】
パチンコ遊技者はハンドルチップを用いる事により、長時間、遊技をおこなっても手や指の疲労を軽減できる。また、この時、ハンドルチップの宣伝広告を目にする事により宣伝効果が得られる。
【００１４】
ハンドルチップは繰り返し使え、地域内の他のパチンコ店でも利用する事ができるため、遊技者はハンドルチップを持ち帰り、他店で使用する。
【００１５】
持ち運んだ先で遊技後に置き忘れる等で紛失した際、ハンドルチップが他のパチンコ遊技者の目にとまる事になる。これにより、限られた地域内のパチンコ遊技者に効率的に宣伝広告が行える。
【００１６】
紛失したハンドルチップを見つけたパチンコ遊技者は、広告を見る、ハンドルチップを利用する、新たなハンドルチップを入手する等を行う。
【００１７】
紛失したハンドルチップを見つけたパチンコ店の店員はハンドルチップを使用することにより、パチンコ遊技台のハンドルに傷がつかない事を知る。また、地域内の他のパチンコ店の宣伝広告を目にする事により、ハンドルチップによる自店の広告を考える。このことにより、ハンドルチップの広告効果が波及する。
【産業上の利用可能性】
【００１８】
宣伝を行いたい図、絵、写真、文字、二次元バーコードなどを印刷したハンドルチップ作成しパチンコ遊技者に提供する事により、パチンコ遊技者を介してパチンコ遊技者に効率的に広告宣伝を行う事ができる。
【符号の説明】
【００１９】
１    宣伝広告が印刷された印刷物
２    透明で弾力のある軟質材
0003160876.tif 000003
【手続補正書】
【提出日】平成22年5月10日(2010.5.10)
【手続補正１】
【補正対象書類名】明細書
【補正対象項目名】全文
【補正方法】変更
【補正の内容】
【考案の詳細な説明】
【技術分野】
【０００１】
本考案は遊技の際に使用するハンドル可動部をずれにくくする宣伝広告が可能な遊技補助具に関するものである。
【背景技術】
【０００２】
宣伝広告は、限られた地域のものが多く、その特性からマスメディアでの宣伝効果が薄い。一般的には折り込み広告、ダイレクトメール、店内外表示などが主である。
【０００３】
折り込み広告は不特定多数の遊技者以外の人にも宣伝が必要なため費用が膨らむ欠点があった。遊技者へのダイレクトメールは、住所やメールアドレスなどの情報収集を行わなければならない欠点がある。店内外表示は遊技者が店に来店しないと広告効果が得られない欠点もある。
【０００４】
長時間、遊技をしていると指や手が疲労しハンドル可動部分がずれる事がある。このため、ハンドルとハンドル可動部にコインや鍵を挟んで、ずれにくくする場合があるが、ハンドルの形状により挟みにくい場合がある。このような硬質のものを無理に挟もうとすると、ハンドルに傷をつけたり、ハンドルをガタガタにしてしまったりしてしまう欠点があった。また、紙を折って使用する場合もあるが、使い捨てで安定感が無く、資源の無駄になる。
【０００５】
このハンドルをずれにくくするものは、多くの遊技者が所有しているにもかかわらず、個人で用意する事が多い。
【先行技術文献】
【特許文献】
【０００６】
【特許文献１】特許公開２００１−２３９００３号広報
【特許文献２】登録実用新案第３０６５９３０号公報
【考案の概要】
【考案が解決しようとする課題】
【０００７】
解決しようとする問題点は、ハンドルをずれにくくする遊技補助具に、硬質の物を使用するとハンドルを傷つけてしまう点、紙を使用すると繰り返し使えず安定しない点である。また、広告宣伝は限られた地域内で遊技者に対して効率的に宣伝広告ができない点である。
【課題を解決するための手段】
【０００８】
本考案は、宣伝広告が印刷された物の表面に透明で弾力のある軟質材を被覆し、その形状が概ね多角形または円形の平板状であることを主要な特徴とする。
【考案の効果】
【０００９】
本考案は硬質材を使用せず、弾力のある軟質材を使用し、ハンドルを傷つける事無いようにハンドルの丸みに沿って湾曲し、弾力によって可動部をずれにくくする。この事により遊技者の手や指の疲労の軽減を行うことができる。また、宣伝広告を印刷された物を使用する事により遊技者に効率的に宣伝広告を行うことができる。
【図面の簡単な説明】
【００１０】
【図１】図１はハンドルチップの斜視図である。
【図２】図２はハンドルチップの斜視図である。
【図３】図３はハンドルチップを使用した斜視図である。（実施例１）
【図４】図４はハンドルチップの斜視図である。（裏面）
【考案を実施するための形態】
【００１１】
ハンドル可動部を任意の強さまで回転させ、手で固定した後、可動部をずれにくくするために、ハンドルとハンドル可動部の間にハンドルチップを挟む。
【実施例１】
【００１２】
表面に企業などの広告を印刷し、裏面にハンドルチップの広告を印刷し、透明で弾力のある軟質材で被覆したハンドルチップを用意し、遊技者に提供する。
【００１３】
遊技者はハンドルチップを用いる事により、長時間、遊技をおこなっても手や指の疲労を軽減できる。また、この時、ハンドルチップの宣伝広告を目にする事により宣伝効果が得られる。
【００１４】
ハンドルチップは繰り返し使え、地域内の他の店でも利用する事ができるため、遊技者はハンドルチップを持ち帰り、他店で使用する。
【００１５】
持ち運んだ先で遊技後に置き忘れる等で紛失した際、ハンドルチップが他の遊技者の目にとまる事になる。これにより、限られた地域内の遊技者に効率的に宣伝広告が行える。
【００１６】
紛失したハンドルチップを見つけた遊技者は、広告を見る、ハンドルチップを利用する、新たなハンドルチップを入手する等を行う。
【００１７】
紛失したハンドルチップを見つけた店の店員はハンドルチップを使用することにより、遊技台のハンドルに傷がつかない事を知る。また、地域内の他の店の宣伝広告を目にする事により、ハンドルチップによる自店の広告を考える。このことにより、ハンドルチップの広告効果が波及する。
【産業上の利用可能性】
【００１８】
宣伝を行いたい図、絵、写真、文字、二次元バーコードなどを印刷したハンドルチップ作成し遊技者に提供する事により、遊技者を介して遊技者に効率的に広告宣伝を行う事ができる。
【符号の説明】
【００１９】
１    宣伝広告が印刷された印刷物
２    透明で弾力のある軟質材
【手続補正２】
【補正対象書類名】実用新案登録請求の範囲
【補正対象項目名】全文
【補正方法】変更
【補正の内容】
【実用新案登録請求の範囲】
【請求項１】
印刷物の表面に透明で弾力のある軟質材を被覆し、その形状が概ね多角形または円形の平板状であることを特徴とする遊技補助具。
【請求項２】
印刷物に宣伝広告が印刷された請求項１の遊技補助具。
【手続補正３】
【補正対象書類名】図面
【補正対象項目名】全図
【補正方法】変更
【補正の内容】
【図１】
0003160876.tif 000004
【図２】
0003160876.tif 000005
【図３】
0003160876.tif 000006
【図４】
0003160876.tif 000007